(57)【要約】【課題】  引出し式扉の全体に真空断熱材を配設して断熱性能を更に向上した冷蔵庫を提供する。【解決手段】  前板２５に真空断熱材２１が当接して構成される引出し式扉７の左右両端の内側に当接する冷蔵室の側壁１１ａ、１１ｂの前側の左右両端部にガスケット１５が設けられ、真空断熱材２１ガスケット１５または側壁１１ａ、１１ｂよりも外側に伸びて引出し式扉７の左右両端まで延出し、引出し式扉７の横幅全体を覆って断熱している。【選択図】        図２
2014066386.tif 000002
【特許請求の範囲】
【請求項１】
正面を開口とした断熱箱体と、前記断熱箱体の正面の開口を塞ぐ複数の扉とを有した冷蔵庫であって、
前記扉との密閉性を高めるガスケットを前記断熱箱体に設け、前記扉に内装される真空断熱材の端部は前記ガスケットまたは前記断熱箱体の内板よりも外側に位置することを特徴とする冷蔵庫。
【請求項２】
前記真空断熱材は、扉内部全体に配設されていることを特徴とする請求項１記載の冷蔵庫。
【請求項３】
前記扉の庫内側の周縁部は、平坦に構成されていることを特徴とする請求項１または２記載の冷蔵庫。
【請求項４】
前記ガスケットは磁石が設けられ、
前記扉の庫内側の周縁部は、前記磁石に対応して着磁部が設けられていることを特徴とする請求項１乃至３のいずれかに記載の冷蔵庫。
【請求項５】
前記扉の前板は、金属製であり、この前板の端部は扉の後ろ面まで延出されて、扉の内板の一部として構成されていることを特徴とする請求項１乃至４のいずれかに記載の冷蔵庫。
【発明の詳細な説明】
【技術分野】
【０００１】
本発明の実施形態は、冷蔵庫に関する。
【背景技術】
【０００２】
冷蔵庫は、断熱性能を向上するために、外壁部、天井部、底部などの内部に真空断熱材を配設して断熱するとともに、また冷蔵庫の前側の扉の内部にも真空断熱材を配設して断熱性能の向上した断熱扉を構成している。
【０００３】
このような真空断熱材を配設した断熱扉の周囲には、ガスケットが取り付けられている。
【０００４】
ガスケットは、柔軟性のある材料で構成された中空密閉のエアクッション部およびこのエアクッション部から突出している矢尻状の差込部を有し、この差込部を扉の周囲の内側に形成された凹部に差し込んで装着している。また、ガスケットのエアクッション部の差込部と反対の面には、マグネットが取り付けられ、このマグネットが野菜室の周壁の端部を構成している金属部材を吸着して、野菜室を密閉状態にしている。
【０００５】
上述したように、引出し式扉の周囲の内側にガスケットを取り付けた場合には、この引出し式扉の周囲の内側にガスケットの差込部を差し込むための凹部を形成することが必要であるため、断熱性能を向上すべく引出し式扉内に配設された真空断熱材は、前記凹部のために引出し式扉の周囲の部分まで設けることができず、引出し式扉の周囲を除いた部分のみに真空断熱材が配設されているため、引出し式扉の断熱性能は十分ではなく、周囲を含む引出し式扉の全体に真空断熱材を配設して、断熱性能を更に向上した冷蔵庫が要望されている。
【先行技術文献】
【特許文献】
【０００６】
【特許文献１】特願２０１２−０３５４６０号
【発明の概要】
【発明が解決しようとする課題】
【０００７】
本発明は、上記に鑑みてなされたもので、その目的とするところは、引出し式扉の全体に真空断熱材を配設して断熱性能を更に向上した冷蔵庫を提供することにある。
【課題を解決するための手段】
【０００８】
実施形態の冷蔵庫は、正面を開口とした断熱箱体と、前記断熱箱体の正面の開口を塞ぐ複数の扉とを有した冷蔵庫であって、前記扉との密閉性を高めるガスケットを前記断熱箱体に設け、前記扉に内装される真空断熱材の端部は前記ガスケットまたは前記断熱箱体の内板よりも外側に位置する。
【図面の簡単な説明】
【０００９】
【図１】本発明の第１の実施形態に係わる冷蔵庫の全体を示す斜視図である。
【図２】図２は、図１に示した冷蔵庫の野菜室を水平に切断した横断面図である。
【図３】本発明の第２の実施形態に係わる冷蔵庫の野菜室などの引出し式扉に適用される引出し式扉の右側端部と野菜室の右側壁の前側端部とを示す断面図である。
【図４】本発明の第３の実施形態に係わる冷蔵庫の野菜室などの引出し式扉に適用される引出し式扉の右側端部と野菜室の右側壁の前側端部とを示す断面図である。
【図５】本発明の第４の実施形態に係わる冷蔵庫の野菜室などの引出し式扉に適用される引出し式扉の右側端部と野菜室の右側壁の前側端部とを示す断面図である。
【図６】本発明の第５の実施形態に係わる冷蔵庫の野菜室などの引出し式扉に適用される引出し式扉の右側端部と野菜室の右側壁の前側端部とを示す断面図である。
【発明を実施するための形態】
【００１０】
以下、図面を用いて、本発明を実施するための形態(以下、実施形態と称する)を説明する。
【００１１】
図１は、本発明の第１の実施形態に係わる冷蔵庫の全体を示す斜視図である。同図に示す冷蔵庫１は、最上部に両開き式の観音扉３ａ、３ｂで開閉される冷蔵室５を有し、この冷蔵室５の下側に引出し式扉７で開閉される野菜室９が設けられている。また更に、この野菜室９の下側には製氷室１１と第１冷凍室１３とが横に並んで設けられ、この下側の最下部に第２冷凍室１５が設けられている。
【００１２】
図２は、図１に示した冷蔵庫１の野菜室９を水平に切断した横断面図である。同図に示す野菜室９は、引出し式扉７のある前側が開放した左右の側壁１１ａおよび１１ｂと両者を後端で連結する後壁１３からなるほぼ矩形の断面を有し、側壁１１ａ、１１ｂは、前側の左右両端にはガスケット１５が取り付けられ、このガスケット１５を介して引出し式扉７の左右両端の内側に当接し、野菜室９内を密閉状態に保持している。
【００１３】
引出し式扉７は、間隔をあけて配設される前板２５と後板２７で構成され、これらの前板２５と後板２７との間に真空断熱材２１が配設され、引出し式扉７の断熱性能を向上している。なお、前板２５と後板２７は、引出し式扉７の左右両側端部で端部同士が突き合うか部分的に重なって野菜室全体を隙間なく囲むように構成されている。また、引出し式扉７の前記ガスケット１５に近い左右両端寄りの部分の内側には、野菜室９内に向かって大きく突出する左右のスロート部４１ａ、４１ｂが設けられている。
【００１４】
また、野菜室９の側壁１１ａ、１１ｂおよび後壁１３も同様に、間隔をあけて配設される内板３１と外板３３で構成され、これらの内板３１と外板３３との間に真空断熱材３５が配設され、野菜室９の断熱性能を向上している。
【００１５】
側壁１１ａ、１１ｂのそれぞれの前側の端部、すなわち引出し式扉７の左右両端の内側に向かう側壁１１ａ、１１ｂの前側端部には、凹部３７が形成され、この凹部３７内にガスケット１５の矢尻状の差込部１５ａが差し込まれて、ガスケット１５が装着されている。ガスケット１５は、この差込部１５ａに連結して、柔軟性のある材料で構成された中空密閉のエアクッション部１５ｂを有し、前記差込部１５ａがエアクッション部１５ｂから突出するように取り付けられている。
【００１６】
また、ガスケット１５のエアクッション部１５ｂの前側の内部、すなわちエアクッション部１５ｂの引出し式扉７に面する前側の内部には、マグネット１５ｃが取り付けられ、このマグネット１５ｃは、引出し式扉７の左右両端の樹脂製の後板２７の部分に取り付けられている図示しない金属片を磁気的に吸着し、野菜室を密閉状態にし、その断熱性能を向上している。
【００１７】
以上のように構成される第１の実施形態において、ガスケット１５は、側壁１１ａ、１１ｂの前側端部に設けられていて、引出し式扉７にはガスケット１５がなく、従ってガスケット１５を取り付けるための凹部も引出し式扉７にないため、引出し式扉７内の真空断熱材２１は引出し式扉７の左右両端も含んで、引出し式扉７の全体に設けることができ、引出し式扉７の断熱性能を著しく向上できるとともに、真空断熱材２１を使用することで、引出し式扉７の厚さも薄く構成でき、引出し式扉７で開閉される野菜室９の内部容量を増大することができる。
【００１８】
図３は、本発明の第２の実施形態に係わる冷蔵庫の野菜室などの引出し式扉に適用される引出し式扉の右側端部と野菜室の右側壁の前側端部とを示す断面図である。なお、同図は、野菜室の引出し式扉の右側端部と野菜室の右側壁の前側端部とを示した図であるが、引出し式扉の左側端部と野菜室の左側壁の前側端部の構造も同様な構造のものであり、図の簡単化のために省略している。
【００１９】
図３において、野菜室の引出し式扉１７は、前板２５の裏面に真空断熱材２１が接着などにより密接に取り付けられているが、この真空断熱材２１は、引出し式扉１７の端部まで延出して引出し式扉１７の内部全体に配設されている。引出し式扉１７の前側を覆っている前板２５は、引出し式扉１７の端部を覆うように引出し式扉１７の端部で内側に折曲して、折曲側部２５ａを構成しているが、この前板２５の折曲側部２５ａの後方に伸びた端部には、後板２７の２つに割れた先端部２７ａが嵌合している。
【００２０】
前板２５の裏側に取り付けられた真空断熱材２１の端部の裏側の角部近くには、金属製の磁着板５３が配設されているが、引出し式扉１７の後板２７は、この磁着板５３を覆うように磁着板５３の裏側を通って、左方に延出した部分はスロート部４１ｂを形成するように後方に延出し、また右方においては磁着板５３を超えた後に折曲し、前記２つに割れた先端部２７ａを構成している。なお、磁着板５３が設けられている後板２７の部分は、僅かに凹んで、磁着板５３を収納し易いように構成されている。
【００２１】
野菜室の右側壁５１の前側端部には、ガスケット４５が取り付けられている。右側壁５１は、間隔をあけて配設される外板４７と内板４９を有し、両者の間には、真空断熱材３５が配設されているが、内板４９は、引出し式扉１７に向かって延出してから側壁５１の前側端部を構成するように外板４７に向かって折曲し、この折曲部にガスケット４５の矢尻状の差込部４５ａが挿入される凹部５１ａが形成されている。内板４９は、凹部５１ａを形成した後、その延出先端部は、外板４７の右側壁５１の前側端部で折曲し、この折曲端部で構成されるフック部４７ａに係合している。
【００２２】
また同様に、ガスケット４５は、差込部４５ａに連結して、柔軟性のある材料で構成された中空密閉のエアクッション部４５ｂを有し、前記差込部４５ａがエアクッション部４５ｂから突出するように取り付けられている。そして、このエアクッション部４５ｂの前側の内部、すなわちエアクッション部１５ｂの引出し式扉７に面する前側の内部には、マグネット４５ｃがエアクッション部４５ｂ内で短く伸びた挟持部で挟まれるように取り付けられ、このマグネット４５ｃは、引出し式扉１７の端部に設けられた前記磁着板５３を吸着し、野菜室を密閉状態にし、その断熱性能を向上している。
【００２３】
以上のように構成される第２の実施形態においては、ガスケット４５は、側壁５１の前側端部に設けられていて、引出し式扉１７にはガスケット４５がなく、従ってガスケット４５を取り付けるための凹部も引出し式扉１７にないため、引出し式扉１７内の真空断熱材２１は引出し式扉１７の端部を含んで、引出し式扉１７の全体に設けることができ、引出し式扉１７の断熱性能を著しく向上できるとともに、真空断熱材２１を使用することで、引出し式扉１７の厚さも薄く構成でき、引出し式扉１７で開閉される野菜室の内部容量を増大することができる。
【００２４】
図４は、本発明の第３の実施形態に係わる冷蔵庫の野菜室などの引出し式扉に適用される引出し式扉の右側端部と野菜室の右側壁の前側端部とを示す断面図である。なお、同図は、野菜室の引出し式扉の右側端部と野菜室の右側壁の前側端部とを示した図であるが、引出し式扉の左側端部と野菜室の左側壁の前側端部の構造も同様な構造のものであり、図の簡単化のために省略している。
【００２５】
図４において、側壁１１ｂの前側端部のガスケット１５が設けられている構造は、図２に示した構造と同じであり、同じ構成要素には同じ符号を付している。また、引出し式扉は、符号５７で示すが、前板２５の内側に真空断熱材２１が接着等により密接して取り付けられとともに、真空断熱材２１を挟んで対向した後板２７が配設され、この後板２７の端部寄りの部分には前記スロート部４１ｂが内側に向かって大きく突出して設けられている。
【００２６】
そして、側壁１１ｂの前側端部のガスケット１５に対向する前板２５の右側端部は、後方に折曲して、引出し式扉５７の折曲側部２５ａを構成してから直角に内側に折曲し、折曲部２５ｂを構成し、それから更にこの折曲した先端が引出し式扉５７内に向かうように折曲して、折曲片２５ｃを構成している。また、引出し式扉５７の右側端部において後板２７は、鉤型に折曲して、凹部２７ｂを構成し、この凹部２７ｂに前記折曲片２５ｃが係合している。
【００２７】
このように構成される引出し式扉５７の端部においては、金属製の前板２５の折曲部２５ｂがガスケット１５のマグネット１５ｃに対向して設けられているため、引出し式扉５７を閉じた時には、前板２５の折曲部２５ｂは、ガスケット１５のマグネット１５ｃに密接に近接し、マグネット１５ｃの吸着力により吸着され、引出し式扉５７の端部と側壁１１ｂの前側端部とを密閉状態に閉塞し、野菜室９の内部を断熱状態に保持するとともに、またガスケット１５は、側壁１１ｂの前側端部に設けられていて、引出し式扉５７にはガスケットがなく、従ってガスケットを取り付けるための凹部も引出し式扉にないため、引出し式扉５７内の真空断熱材２１は引出し式扉の端部を含んで、引出し式扉の全体に設けることができ、引出し式扉の断熱性能を著しく向上できるとともに、真空断熱材２１を使用することで、引出し式扉の厚さも薄く構成でき、引出し式扉で開閉される野菜室の内部容量を増大することができる。
【００２８】
図５は、本発明の第４の実施形態に係わる冷蔵庫の野菜室などの引出し式扉に適用される引出し式扉の右側端部と野菜室の右側壁の前側端部とを示す断面図である。なお、同図は、野菜室などの引出し式扉の右側端部とその右側壁の前側端部とを示した図であるが、引出し式扉の左側端部と野菜室などの左側壁の前側端部の構造も同様な構造のものであり、図の簡単化のために省略している。
【００２９】
図５において、右側壁５１の前側端部のガスケット４５が設けられている構造は、図３においてマグネット４５ｃがエアクッション部４５ｂ内においてエアクッション部４５ｂの内壁で両側から挟まれるように設けられているのに対して図５ではエアクッション部４５ｂの内壁で囲まれていることを除いて、図３に示した構造とほぼ同じであり、同じ構成要素には同じ符号を付している。
【００３０】
図５における引出し式扉６７は、前面がガラス６９で覆われて構成され、このガラス６９の内側に真空断熱材２１が接着等により密接に取り付けられている。また、引出し式扉６７の側端部は、プラスチック製の側板７１が取り付けられ、この側板７１の前側寄りの一部は、ガラス６９の内側に沿うように引出し式扉６７内に延出して、ガラス平行部７１ａを構成し、このガラス平行部７１ａよりも前側の側板７１の端部は、ガラス６９の端部を前記ガラス平行部７１ａとの間で挟んで保持するように折曲し、ガラス保持部７１ｂを構成している。
【００３１】
また、側板７１の中程よりも後側であって、右側壁５１に向かう後側寄りの部分には、段部７１ｃが形成され、この段部７１ｃの上に後板２７の折曲した水平端部２７ｃの一端が載置されている。この後板２７の水平端部２７ｃの他端は、上方に延出してから水平に伸びて、スロート部４１ｂを構成する後板２７に続いている。前記水平端部２７ｃの上には、鋼板などからなる断面が下向きコの字状の磁着板７３がガスケット４５のマグネット４５ｃに対向するように載置されている。
【００３２】
上述したように構成される本実施形態の引出し式扉６７の端部においては、鋼板などからなる磁着板７３がガスケット４５のマグネット４５ｃに対向して設けられているため、引出し式扉６７を閉じた時には、磁着板７３がガスケット４５のマグネット４５ｃに密接し、マグネット４５ｃの吸着力により吸着され、引出し式扉６７の端部と側壁１１ｂの前側端部とを密閉状態に閉塞し、野菜室９の内部を断熱状態に保持することができるとともに、またガスケット４５は、右側壁５１の前側端部に設けられていて、引出し式扉６７にはガスケットがなく、従ってガスケット４５を取り付けるための凹部も引出し式扉６７にないため、引出し式扉６７内の真空断熱材２１は引出し式扉の端部を含んで、引出し式扉６７の全体に設けることができ、引出し式扉６７の断熱性能を著しく向上できるとともに、真空断熱材２１を使用することで、引出し式扉６７の厚さも薄く構成でき、引出し式扉６７で開閉される野菜室の内部容量を増大することができる。
【００３３】
図６は、本発明の第５の実施形態に係わる冷蔵庫の野菜室などの引出し式扉に適用される引出し式扉の右側端部と野菜室の右側壁の前側端部とを示す断面図である。なお、同図は、野菜室の引出し式扉の右側端部と野菜室の右側壁の前側端部とを示した図であるが、引出し式扉の左側端部と野菜室の左側壁の前側端部の構造も同様な構造のものであり、図の簡単化のために省略している。
【００３４】
図６において、側壁１１ｂの前側端部のガスケット１５が設けられている構造は、図２および図４に示した構造と同じであり、同じ構成要素には同じ符号を付している。また、本実施形態の引出し式扉７７は、図５と同様に、前面がガラス６９で覆われて構成され、このガラス６９の内側に真空断熱材２１が接着等により密接に取り付けられている。また、引出し式扉７７の側端部は、プラスチック製の側板７１が取り付けられ、この側板７１の前側寄りの一部は、折曲してから、ガラス６９の内側に沿うように引出し式扉７７内に延出して、ガラス平行部７１ａを構成し、このガラス平行部７１ａを超えた側板７１の前側の端部は、ガラス平行部７１ａよりも前側に僅か突出し、この突出部でガラス６９が引出し式扉７７の外側に移動しないように保持している。
【００３５】
引出し式扉７７の側板７１の側壁１１ｂに向かう他端は、真空断熱材２１を超えた所で折曲して、折曲片７１ｄを構成し、この折曲片７１ｄは、後板２７のスロート部４１ｂを超えてから真空断熱材２１に沿って側壁１１ｂの方に延出してくる後板２７の端部２７ｄとの間で鋼板などからなるほぼＴ字状の磁着板７５の下垂部７５ａを挟持している。
【００３６】
この磁着板７５の下垂部７５ａの上側の水平部７５ｂは、ガスケット１５のマグネット１５ｃに対向するように配設されている。また、磁着板７５の下垂部７５ａの下端は、外側に折曲して、側板７１の折曲片７１ｄの下側に入り込んで、磁着板７５が簡単にはずれないようになっている。
【００３７】
本実施形態の引出し式扉７７の端部においても、鋼板などからなる磁着板７５がガスケット１５のマグネット１５ｃに対向して設けられているため、引出し式扉７７を閉じた時には、磁着板７５がガスケット１５のマグネット１５ｃに密接し、マグネット１５ｃの吸着力により吸着され、引出し式扉７７の端部と側壁１１ｂの前側端部とを密閉状態に閉塞し、野菜室９の内部を断熱状態に保持することができるとともに、またガスケット１５は、側壁１１ｂの前側端部に設けられていて、引出し式扉７７にはガスケットがなく、従ってガスケット１５を取り付けるための凹部も引出し式扉７７にないため、引出し式扉７７内の真空断熱材２１は引出し式扉の端部を含んで、引出し式扉７７の全体に設けることができ、引出し式扉７７の断熱性能を著しく向上できるとともに、真空断熱材２１を使用することで、引出し式扉７７の厚さも薄く構成でき、引出し式扉７７で開閉される野菜室の内部容量を増大することができる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
1  冷蔵庫
７  引出し式扉
９  野菜室
１１ａ、１１ｂ  側壁
１３  後壁
１５  ガスケット
１５ａ  差込部
１５ｂ  エアクッション部
１５ｃ  マグネット
２１  真空断熱材
２５  前板
２５ａ  折曲側部
２５ｂ  折曲片
２５ｃ  折曲部
２７  後板
２７ａ  先端部
２７ｂ  凹部
２７ｃ  水平端部２７ｃ
２７ｄ  端部
３１  内板
３３  外板
３５  真空断熱材
４１ａ、４１ｂ  スロート部
４５  ガスケット
４５ａ  差込部
４５ｂ  エアクッション部
４５ｃ  マグネット
４７  外板
４７ａ  フック部
４９  内板
５１  側壁
５１ａ  凹部
５３  磁着板
５７  引出し式扉
６７  引出し式扉
６９  ガラス
７１  側板
７１ａ  ガラス平行部
７１ｂ  ガラス保持部
７１ｃ  段部
７１ｄ  折曲片
７３  磁着板
７５  磁着板
【図１】
2014066386.tif 000003
【図２】
2014066386.tif 000004
【図３】
2014066386.tif 000005
【図４】
2014066386.tif 000006
【図５】
2014066386.tif 000007
【図６】
2014066386.tif 000008